(57)【要約】    【課題】      ハンドオーバ先の基地局において、ハンドオーバ前にハンドオーバ元基地局と同等のキュー管理を行うことにより、ハンドオーバ時のキューの引き継ぎを円滑に行うとともに、データ欠落のないシームレスなハンドオーバを行うこと。    【解決手段】  再送制御部１０５は、格納部１０７に対して、受信成功を示すＡＣＫ情報にて特定されるパケットデータの削除を指示する。また、再送制御部１０５は、ハンドオーバ先基地局用ＴＳＮを、格納部１０７に格納されているパケットデータに対して付与する。格納部１０７は、先に入力したパケットデータが先に出力されるという特徴をもつキューであり、パケットデータを一時的に格納するとともに、再送制御部１０５から指示されたパケットデータを削除する。また、格納部１０７は、再送制御部１０５にてハンドオーバ先基地局用ＴＳＮが付与されたパケットデータを格納する。  【選択図】      図１
2007006230.tif 000002
【特許請求の範囲】
【請求項１】
上位局装置から受け取ったハンドオーバ元である他局と同一のパケットデータを格納する格納手段と、
ハンドオーバ前に前記他局から送信された前記パケットデータの通信端末装置における受信成功または受信失敗を示す情報である再送情報を受信する受信手段と、
前記格納手段に格納されているパケットデータの内、前記受信手段にて受信成功を示す前記再送情報を受信した場合には前記格納手段に格納されている受信成功した前記パケットデータを廃棄する再送制御手段と、
前記通信端末装置が前記他局から自局へハンドオーバした後に前記再送制御手段にて廃棄されずに前記格納手段に残っているパケットデータを前記通信端末装置に対して送信する送信手段と、
を具備することを特徴とする基地局装置。
【請求項２】
パケットデータを識別するための情報である識別情報を受信失敗を示す前記再送情報とともに受信した場合には、自局の前記格納手段に格納される前記受信失敗したパケットデータに前記識別情報を付与する送信優先度制御手段を具備し、
前記格納手段は、前記送信優先度制御手段にて前記識別情報を付与されたパケットデータを格納することにより、ハンドオーバ前に前記他局と同一の順番で同一のパケットデータを格納することを特徴とする請求項１記載の基地局装置。
【請求項３】
ハンドオーバ元の基地局装置とハンドオーバ先の基地局装置の両方に格納されているパケットデータであることを示すフラグを含むとともに前記ハンドオーバ元の基地局装置から送信されたパケットデータを受信する受信手段と、
前記受信手段にて受信した前記フラグを含むパケットデータに対して、パケットデータを識別するための情報である前記ハンドオーバ元の基地局装置と前記ハンドオーバ先の基地局装置とで共通の識別情報を割り当てる識別情報付与手段と、
受信したパケットデータの誤りを検出する誤り検出手段と、
前記誤り検出手段にて検出された誤りの検出結果の情報と前記識別情報付与手段にて割り当てられた前記識別情報とをハンドオーバ前に前記ハンドオーバ先の基地局装置へ送信する送信手段と、
を具備することを特徴とする通信端末装置。
【請求項４】
前記受信手段にて前記ハンドオーバ元の基地局装置から受信したパケットデータに付与されたＱｏＳ毎に異なる識別子を、前記ハンドオーバ先の基地局装置へ転送する転送手段を具備することを特徴とする請求項３記載の通信端末装置。
【請求項５】
通信端末装置における受信品質の測定結果の情報に基づいて前記通信端末装置がハンドオーバ元の基地局装置からハンドオーバ先の基地局装置へハンドオーバするか否かを決定するハンドオーバ決定手段と、
前記ハンドオーバ決定手段にてハンドオーバすることが決定された場合に前記ハンドーバ元の基地局装置及び前記ハンドオーバ先の基地局装置に送信するパケットデータであることを示すフラグをパケットデータに付与するフラグ付与手段と、
前記フラグ付与手段にて前記フラグが付与されたパケットデータを前記ハンドオーバ元の基地局装置及び前記ハンドオーバ先の基地局装置へ送信する送信手段と、
を具備することを特徴とする制御局装置。
【請求項６】
ハンドオーバ元の基地局装置とハンドオーバ先の基地局装置とがハンオドーバ前に上位局装置から同一のパケットデータを受信して格納するステップと、
前記ハンドオーバ元の基地局装置から送信された前記パケットデータの通信端末装置における受信成功または受信失敗を示す情報である再送情報を前記ハンドーバ先の基地局装置及び前記ハンドオーバ元の基地局装置が受信するステップと、
受信成功を示す前記再送情報を受信した場合には前記ハンドオーバ元の基地局装置及び前記ハンドオーバ先の基地局装置にて格納されている受信成功した前記パケットデータを廃棄するステップと、
を具備することを特徴とするキュー管理方法。
【発明の詳細な説明】
【技術分野】
【０００１】
本発明は、基地局装置、通信端末装置、制御局装置及びキュー管理方法に関し、特にハンドオーバ時の下り高速パケット伝送に用いる基地局装置、通信端末装置、制御局装置及びキュー管理方法に関する。
【背景技術】
【０００２】
３ＧＰＰにおいてＷ−ＣＤＭＡ方式に基づいて下り回線の最大レート（最大スループット）が２Ｍｂｐｓ以上を実現するＨＳＤＰＡ（High Speed Downlink Packet Access）の検討が行われ、商用化段階に移行しつつある（例えば、非特許文献１）。ＨＳＤＰＡでは、例えばＳＩＮＲ等の下り回線品質に基づく適応変復調及び誤り訂正符号化（ＡＭＣ）技術、ハイブリット自動再送要求（ＨＡＲＱ）技術、及び高速に各ユーザに回線を割り当てるパケットスケジューリング技術を適用することで高スループットを実現する。
【０００３】
図９は、ＨＳＤＰＡの想定する通信システムの構成を示す図である。ＨＳＤＰＡを適用するにあたり、基地局１０は、制御局１１から転送されてくる、図示しない各移動局のパケットデータをキューバッファに一時格納する。そして、基地局１０は、パケットスケジューリングによって送信機会を割り当てたパケットデータを、下り回線品質に基づく適応変調及び誤り訂正符号化技術で決定した伝送レートで送信する。ここで、伝送レートは、トランスポートブロック長、物理チャネル数及び変調方式をパラメータとして設定されるものである。
【０００４】
図１０は、キュー制御、ＨＡＲＱ制御等を行う基地局のＭＡＣ−ｈｓ部の構成を示す図である（例えば、非特許文献２）。制御局から基地局に送信されたパケットデータは、スケジューリング／優先度制御部（Scheduling/Priority handling）２０においてデータの優先度クラスに応じてキュー（Priority Queue）２１に分配される。ＨＡＲＱ制御部（HARQ entity）２２は、上り回線シグナリング中のＡＣＫ／ＮＡＣＫ情報からＮ−channel stop and wait方式を用いて、次の送信が初回送信であるかまたは再送であるかを決定する。スケジューリング／優先度制御部２０は、新たなパケットデータに対して、キューＩＤ（Queue ID）と送信シーケンス番号（TSN）を付与する。具体的には、キューＩＤ及び送信シーケンス番号は、ＭＡＣ−ｈｓ  ＰＤＵ（Protocol Data Unit）内のヘッダ部に付与される。ＭＡＣ−ｈｓ  ＰＤＵは、物理層におけるトランスポートブロック、即ち１つの再送単位に相当する。ＴＦＲＣ（Transport Format and Resource Combination）選択部（TFRC selection）２３は、パケットデータを送信するにあたって使用される無線リソースを決定し、ＴＦＲＩ（Transport Format and Resource Indicator）を生成する。下り回線で移動局に送信されたキュー内のパケットデータが通信に成功した場合には、上り回線の制御チャネルでＡＣＫ信号が返送され、パケットデータはキュー２１から削除される。一方、下り回線で移動局に送信されたキュー２１内のパケットデータが通信に失敗した場合には、上り回線の制御チャネルでＮＡＣＫ信号が返送され、ＨＡＲＱ制御部２２の制御の下、再送処理が施される。このように、上り回線の制御チャネルのＡＣＫ／ＮＡＣＫ情報に基づいてキュー管理が行われる。
【０００５】
なお、キュー構造は３ＧＰＰでは優先度クラス毎に設けるとされているが、ｂｅｙｏｎｄ  ３Ｇに対する研究として報告されているものとしては、ユーザ毎に設けるものや、ユーザ毎及び優先度クラス毎に設けるものが報告されている。
【０００６】
次に、ＨＳＤＰＡ用の共用チャネル（ＨＳ−ＤＳＣＨ）のハンドオーバについて説明する。図１１は、ＨＳ−ＤＳＣＨのハンドオーバ時のセル構成を示す図であり、移動局３０が、基地局３１がカバーするエリアであるセル＃１から基地局３２がカバーするエリアであるセル＃２にハンドオーバしようとする状況を示している。
【０００７】
このとき、移動局３０のＨＳ−ＤＳＣＨのハンドオーバの際に、基地局３１から基地局３２に移動局３０に関するキューの内容の転送が円滑にできればパケットデータ伝送に関するシームレスなハンドオーバができて望ましい。
【非特許文献１】３ＧＰＰ  ＴＲ２５．８４８Ｖ４．０．０
【非特許文献２】３ＧＰＰ  ＴＳ２５．３２１Ｖ６．２．０
【発明の開示】
【発明が解決しようとする課題】
【０００８】
しかしながら、従来の装置においては、移動局３０のＨＳ−ＤＳＣＨのハンドオーバにあたって基地局３１から基地局３２に移動局３０に関するキュー内容の転送が円滑にできないという問題がある。その理由は、ハンドオーバ元の基地局３１が制御局を介してハンドオーバ先の基地局３２へキュー内容を転送する場合には、遅延が大きいという問題があるからである。また、基地局間にて無線インタフェース及び有線インタフェースが存在しないため、基地局間にて直接キュー内容を転送することができないという問題があるからである。
【０００９】
従って、従来の装置においては、ＨＳ−ＤＳＣＨのハンドオーバの際には、移動局３０において通信に既に成功しているＡＣＫとなったパケットデータのみが上位レイヤに転送されるのみで、基地局３１のキュー内に残存するパケットデータは破棄される。そして、ハンドオーバ先基地局３２では破棄されたパケットデータは上位レイヤによる再送処理以外の方法で復元及び送信されることはないという問題がある。
【００１０】
ここで、例えば、極めて信頼性が高いデータ伝送が要求されるＩｎｔｅｒａｃｔｉｖｅクラスのサービスでは、Ａｃｋｎｏｗｌｅｄｇｅ  Ｍｏｄｅで動作するＲＬＣサブレイヤ動作が適用される。ＲＬＣは制御局と移動局に存在し、ＨＳ−ＤＳＣＨのハンドオーバ動作に関係なく再送の制御が行われる。従って、パケットデータの欠落が生じた場合等に再送が行われる。そして、再送により、更に上位層であるＴＣＰレイヤにおける輻輳を引き起こし、遅延増大とともにビットレートの大幅な減少を招くという問題がある。
【００１１】
本発明はかかる点に鑑みてなされたものであり、ハンドオーバ先の基地局において、ハンドオーバ前にハンドオーバ元基地局と同等のキュー管理を行うことにより、ハンドオーバ時のキューの引き継ぎを円滑に行うことができるとともに、データ欠落のないシームレスなハンドオーバを行うことができる基地局装置、通信端末装置、制御局装置及びキュー管理方法を提供することを目的とする。
【課題を解決するための手段】
【００１２】
本発明の基地局装置は、上位局装置から受け取ったハンドオーバ元である他局と同一のパケットデータを格納する格納手段と、ハンドオーバ前に前記他局から送信された前記パケットデータの通信端末装置における受信成功または受信失敗を示す情報である再送情報を受信する受信手段と、前記格納手段に格納されているパケットデータの内、前記受信手段にて受信成功を示す前記再送情報を受信した場合には前記格納手段に格納されている受信成功した前記パケットデータを廃棄する再送制御手段と、前記通信端末装置が前記他局から自局へハンドオーバした後に前記再送制御手段にて廃棄されずに前記格納手段に残っているパケットデータを前記通信端末装置に対して送信する送信手段と、を具備する構成を採る。
【００１３】
本発明の通信端末装置は、ハンドオーバ元の基地局装置とハンドオーバ先の基地局装置の両方に格納されているパケットデータであることを示すフラグを含むとともに前記ハンドオーバ元の基地局装置から送信されたパケットデータを受信する受信手段と、前記受信手段にて受信した前記フラグを含むパケットデータに対して、パケットデータを識別するための情報である前記ハンドオーバ元の基地局装置と前記ハンドオーバ先の基地局装置とで共通の識別情報を割り当てる識別情報付与手段と、受信したパケットデータの誤りを検出する誤り検出手段と、前記誤り検出手段にて検出された誤りの検出結果の情報と前記識別情報付与手段にて割り当てられた前記識別情報とをハンドオーバ前に前記ハンドオーバ先の基地局装置へ送信する送信手段と、を具備する構成を採る。
【００１４】
本発明の制御局装置は、通信端末装置における受信品質の測定結果の情報に基づいて前記通信端末装置がハンドオーバ元の基地局装置からハンドオーバ先の基地局装置へハンドオーバするか否かを決定するハンドオーバ決定手段と、前記ハンドオーバ決定手段にてハンドオーバすることが決定された場合に前記ハンドーバ元の基地局装置及び前記ハンドオーバ先の基地局装置に送信するパケットデータであることを示すフラグをパケットデータに付与するフラグ付与手段と、前記フラグ付与手段にて前記フラグが付与されたパケットデータを前記ハンドオーバ元の基地局装置及び前記ハンドオーバ先の基地局装置へ送信する送信手段と、を具備する構成を採る。
【００１５】
本発明のキュー管理方法は、ハンドオーバ元の基地局装置とハンドオーバ先の基地局装置とがハンオドーバ前に上位局装置から同一のパケットデータを受信して格納するステップと、前記ハンドオーバ元の基地局装置から送信された前記パケットデータの通信端末装置における受信成功または受信失敗を示す情報である再送情報を前記ハンドーバ先の基地局装置及び前記ハンドオーバ元の基地局装置が受信するステップと、受信成功を示す前記再送情報を受信した場合には前記ハンドオーバ元の基地局装置及び前記ハンドオーバ先の基地局装置にて格納されている受信成功した前記パケットデータを廃棄するステップと、を具備するようにした。
【発明の効果】
【００１６】
本発明によれば、ハンドオーバ先の基地局において、ハンドオーバ前にハンドオーバ元基地局と同等のキュー管理を行うことにより、ハンドオーバ時のキューの引き継ぎを円滑に行うことができるとともに、データ欠落のないシームレスなハンドオーバを行うことができる。
【発明を実施するための最良の形態】
【００１７】
以下、本発明の実施の形態について、図面を参照して詳細に説明する。
【００１８】
（実施の形態１）
図１は、本発明の実施の形態１に係る基地局装置１００の構成を示すブロック図である。
【００１９】
アンテナ１０１は、受信した信号をＲＦ受信部１０２へ出力するとともに、ＲＦ送信部１１１から入力したパケットデータまたはＲＦ送信部１１３から入力したパイロット信号を送信する。
【００２０】
ＲＦ受信部１０２は、アンテナ１０１から入力した受信信号を無線周波数からベースバンド周波数にダウンコンバートして復調部１０３へ出力する。
【００２１】
復調部１０３は、ＲＦ受信部１０２から入力した受信信号を復調して誤り訂正復号部１０４へ出力する。
【００２２】
誤り訂正復号部１０４は、復調部１０３から入力した受信信号を誤り訂正復号して、通信端末装置における受信成功または受信失敗を示す情報であるＡＣＫ／ＮＡＣＫ情報（再送情報）を抽出し、抽出したＡＣＫ／ＮＡＣＫ情報を再送制御部１０５及び送信優先度制御部１０６へ出力する。さらに、誤り訂正復号部１０４は、復調部１０３から入力した受信信号を誤り訂正復号して、パケットデータを識別するための情報であるハンドオーバ先基地局用ＴＳＮ（識別情報）を抽出し、抽出したハンドオーバ先基地局用ＴＳＮを送信優先度制御部１０６へ出力する。そして、誤り訂正復号部１０４は、ＡＣＫ／ＮＡＣＫ情報及びハンドオーバ先基地局用ＴＳＮを抽出した後の受信信号を受信データとして出力して制御局へ送信する。この時、制御局へ送信される受信データには、通信端末装置の受信品質を示す情報である受信品質情報が含まれている。ここで、ハンドオーバ先基地局用ＴＳＮとは、通信端末装置で付与されるパケットデータを識別するための識別子であって、ハンドオーバ元の基地局装置とハンドオーバ先の基地局装置とで共通の識別子である。なお、ハンドオーバ先基地局用ＴＳＮの詳細については後述する。
【００２３】
再送制御部１０５は、誤り訂正復号部１０４から入力したＡＣＫ／ＮＡＣＫ情報に基づいて、格納部１０７に対して、受信成功を示すＡＣＫ情報にて特定されるパケットデータの削除を指示する。また、再送制御部１０５は、受信失敗を示すＮＡＣＫ情報を送信優先度制御部１０６へ出力する。
【００２４】
送信優先度制御部１０６は、制御局から送信データであるパケットデータを受け取って格納部１０７へ出力する。また、送信優先度制御部１０６は、再送制御部１０５から入力した再送情報に基づいて、格納部１０７に格納されている初回送信のパケットデータ及び再送のパケットデータの両方について、送信機会を割り当てる。そして、送信優先度制御部１０６は、割り当てた送信機会の情報をスケジューリング情報として格納部１０７及びＴＦＲＩ選択部１０８へ出力する。送信優先度制御部１０６は、基地局装置１００がハンドオーバ元の基地局装置の場合とハンドオーバ先の基地局装置の場合とで動作が異なる。具体的には、送信優先度制御部１０６は、基地局装置１００がハンドオーバ元の基地局装置である場合には、ＡＣＫ情報を受信した場合には新規なパケットデータに対して送信機会を割り当てるとともに、ＮＡＣＫ情報を受信した場合には再送するパケットデータに対して送信機会を割り当てる。一方、送信優先度制御部１０６は、基地局装置１００がハンドオーバ先の基地局装置である場合には、通信端末装置のハンドオーバが完了するまでは送信処理は行わない。また、送信優先度制御部１０６は、基地局装置１００がハンドオーバ元の基地局装置である場合には、格納部１０７に格納されるパケットデータに対して、格納される順番に順次、自局が独自に設定するＴＳＮを付与する。一方、送信優先度制御部１０６は、基地局装置１００がハンドオーバ先の基地局装置である場合に、ＮＡＣＫ情報とともにハンドオーバ先基地局用ＴＳＮを受信した場合には、格納部１０７に格納されるＮＡＣＫ情報にて特定されるパケットデータに対して、誤り訂正復号部１０４から入力したハンドオーバ先基地局用ＴＳＮを付与する。この際、送信優先度制御部１０６は、同一の送信時間間隔（ＴＴＩ）に受信したＮＡＣＫ情報とハンドオーバ先基地局ＴＳＮは、同一のパケットデータに対するものであると認識する。
【００２５】
格納部１０７は、先に入力したパケットデータが先に出力されるという特徴をもつキューであり、送信優先度制御部１０６から入力したパケットデータを一時的に格納するとともに、送信優先度制御部１０６から入力したスケジューリング情報に基づいて、格納しているパケットデータを誤り訂正符号化部１０９へ出力する。また、格納部１０７は、格納しているパケットデータの内、再送制御部１０５から指示されたパケットデータを削除する。また、格納部１０７は、基地局装置１００がハンドオーバ元の基地局装置である場合には、送信優先度制御部１０６によりＴＳＮが付与されたパケットデータを格納する。また、格納部１０７は、基地局装置１００がハンドオーバ先の基地局装置である場合には、送信優先度制御部１０６によりハンドオーバ先基地局用ＴＳＮが付与されたパケットデータを格納する。また、格納部１０７は、基地局装置１００がハンドオーバ先の基地局装置である場合には、送信優先度制御部１０６により送信機会は割り当てられないので、パケットデータの破棄と格納のみを行う。
【００２６】
ＴＦＲＩ選択部１０８は、送信優先度制御部１０６から入力したスケジューリング情報に基づいて、次の送信に用いるトランスポートフォーマット及び使用リソースを決定してＴＦＲＩ、符号化率及び変調多値数を選択する。そして、ＴＦＲＩ選択部１０８は、選択したＴＦＲＩ及び符号化率の情報を誤り訂正符号化部１０９へ出力するとともに、選択した変調多値数の情報を変調部１１０へ出力する。
【００２７】
誤り訂正符号化部１０９は、格納部１０７から入力したパケットデータに対して、ＴＦＲＩ選択部１０８から入力したＴＦＲＩを付加するとともに、ＴＦＲＩ選択部１０８から入力した符号化率の情報に基づいて、ＴＦＲＩを付加したパケットデータを所定の符号化率にて符号化する。そして、誤り訂正符号化部１０９は、符号化したＴＦＲＩを付加したパケットデータを変調部１１０へ出力する。なお、ＴＦＲＩはパケットデータとは別の物理チャネルで前もって送信しても良い。
【００２８】
変調部１１０は、ＴＦＲＩ選択部１０８から入力した変調多値数の情報に基づいて、誤り訂正符号化部１０９から入力した、ＴＦＲＩが付加されたパケットデータを、所定の変調多値数の変調方式にて変調してＲＦ送信部１１１へ出力する。
【００２９】
ＲＦ送信部１１１は、変調部１１０から入力したＴＦＲＩが付加されたパケットデータをベースバンド周波数から無線周波数にアップコンバートしてアンテナ１０１へ出力する。
【００３０】
変調部１１２は、パイロット信号を変調してＲＦ送信部１１３へ出力する。
【００３１】
ＲＦ送信部１１３は、変調部１１２から入力したパイロット信号をベースバンド周波数から無線周波数にアップコンバートしてアンテナ１０１へ出力する。
【００３２】
次に、本発明の実施の形態１に係る通信端末装置２００の構成について、図２を用いて説明する。図２は、通信端末装置２００の構成を示すブロック図である。ＡＣＫ／ＮＡＣＫ信号生成部２０５、再配列部２０６、分解処理部２０７、重複送信フラグ抽出部２０８、ＴＳＮ抽出部２０９及びハンドオーバ先基地局用ＴＳＮ生成部２１０は、ＭＡＣ−ｈｓ部２１６を構成する。
【００３３】
アンテナ２０１は、受信した信号をＲＦ受信部２０２へ出力するとともに、ＲＦ送信部２１５から入力した信号を送信する。
【００３４】
ＲＦ受信部２０２は、アンテナ２０１から入力した受信信号を無線周波数からベースバンド周波数にダウンコンバートして復調部２０３へ出力する。
【００３５】
復調部２０３は、ＲＦ受信部２０２から入力した受信信号を復調して誤り訂正復号部２０４及び受信品質測定部２１１へ出力する。
【００３６】
誤り訂正復号部２０４は、復調部２０３から入力した受信信号を誤り訂正復号してＡＣＫ／ＮＡＣＫ信号生成部２０５、重複送信フラグ抽出部２０８及びＴＳＮ抽出部２０９へ出力する。
【００３７】
誤り検出手段であるＡＣＫ／ＮＡＣＫ信号生成部２０５は、誤り訂正復号部２０４から入力した誤り訂正復号後のパケットデータ（ＭＡＣ−ｈｓ  ＰＤＵ）のトランスポートブロックのＣＲＣ結果より、受信したパケットデータのエラーの有無を判定して、判定結果に応じたＡＣＫ／ＮＡＣＫ情報を生成する。そして、ＡＣＫ／ＮＡＣＫ信号生成部２０５は、生成したＡＣＫ／ＮＡＣＫ情報を再配列部２０６及び誤り訂正符号化部２１３へ出力する。また、ＡＣＫ／ＮＡＣＫ信号生成部２０５は、エラーの有無の判定後のパケットデータを再配列部２０６へ出力する。
【００３８】
再配列部２０６は、ＡＣＫ／ＮＡＣＫ信号生成部２０５から入力した、再送等に起因して順序関係が乱れたパケットデータを、ＭＡＣ−ｈｓ  ＰＤＵに含まれるＴＳＮの値に基づいてＴＳＮ順に並べ替えて分解処理部２０７へ出力する。
【００３９】
分解処理部２０７は、再配列部２０６から入力したパケットデータより、ＭＡＣ−ｈｓヘッダ及びパディングビットを削除するとともに、ＭＡＣ−ｄ  ＰＤＵを抽出して、図示しないＭＡＣ−ｄ部へ出力する。
【００４０】
重複送信フラグ抽出部２０８は、誤り訂正復号部２０４から入力した誤り訂正復号後のパケットデータから重複送信フラグを抽出して、抽出した重複送信フラグをハンドオーバ先基地局用ＴＳＮ生成部２１０へ出力する。
【００４１】
ＴＳＮ抽出部２０９は、誤り訂正復号部２０４から入力した誤り訂正復号後のパケットデータからＴＳＮを抽出して、抽出したＴＳＮをハンドオーバ先基地局用ＴＳＮ生成部２１０へ出力する。
【００４２】
識別情報付与手段であるハンドオーバ先基地局用ＴＳＮ生成部２１０は、重複送信フラグ抽出部２０８から入力した重複送信フラグ及びＴＳＮ抽出部２０９から入力したＴＳＮに基づいて、ハンドオーバ先基地局用ＴＳＮ（識別情報）を生成する。そして、ハンドオーバ先基地局用ＴＳＮ生成部２１０は、生成したハンドオーバ先基地局用ＴＳＮを誤り訂正符号化部２１３へ出力する。ハンドオーバ先基地局用ＴＳＮ生成部２１０は、同一のパケットデータにおけるＮＡＣＫ信号とハンドオーバ先基地局用ＴＳＮとが同一の送信時間間隔（ＴＴＩ）に送信されるタイミングで、ハンドオーバ先基地局用ＴＳＮを誤り訂正符号化部２１３へ出力する。
【００４３】
受信品質測定部２１１は、復調部２０３から入力した受信信号に含まれているパイロット信号を用いて基地局装置１００毎に受信品質を測定する。そして、受信品質測定部２１１は、測定結果を受信品質情報生成部２１２へ出力する。
【００４４】
受信品質情報生成部２１２は、受信品質測定部２１１から入力した測定結果に基づいて、受信品質情報を生成して誤り訂正符号化部２１３へ出力する。例えば、受信品質情報生成部２１２は、適応変調のＭＣＳレベル決定を目的として、ＳＩＲとＣＱＩ（Channel Quality Indicator）とを関係付けた基地局装置１００と共通のＣＱＩ選択用情報を記憶しており、ＳＩＲの測定結果を用いてＣＱＩ選択用情報を参照することによりＣＱＩを選択する。または、制御局装置がハンドオーバを決定するために用いる受信品質そのものを制御局装置に報告しても良い。そして、受信品質情報生成部２１２は、選択したＣＱＩまたは受信品質自体を受信品質情報として誤り訂正符号化部２１３へ出力する。
【００４５】
誤り訂正符号化部２１３は、ＡＣＫ／ＮＡＣＫ信号生成部２０５から入力したＡＣＫ／ＮＡＣＫ情報、ハンドオーバ先基地局用ＴＳＮ生成部２１０から入力したハンドオーバ先基地局用ＴＳＮ及び送信データを含むパケットデータを誤り訂正符号化して変調部２１４へ出力する。また、誤り訂正符号化部２１３は、受信品質情報生成部２１２から受信品質情報が入力した場合には、入力した受信品質情報を誤り訂正符号化して変調部２１４へ出力する。
【００４６】
変調部２１４は、誤り訂正符号化部２１３から入力したパケットデータまたは受信品質情報を変調してＲＦ送信部２１５へ出力する。
【００４７】
ＲＦ送信部２１５は、変調部２１４から入力したパケットデータまたは受信品質情報をベースバンド周波数から無線周波数にアップコンバートしてアンテナ２０１へ出力する。
【００４８】
次に、基地局装置１００の上位局装置である制御局装置３００の構成について、図３を用いて説明する。図３は、制御局装置３００の構成を示すブロック図である。
【００４９】
有線データ受信部３０１は、各基地局装置１００から送信された受信データ及び通信端末装置２００の受信品質情報を受信して、受信データをＭＡＣ−ｄ部３０２へ出力するとともに受信品質情報をハンドオーバ決定部３０３へ出力する。
【００５０】
ＭＡＣ−ｄ部３０２は、有線データ受信部３０１から入力した受信データに対してＭＡＣ−ｄ処理を施して図示しないＲＬＣ部へ出力する。また、ＭＡＣ−ｄ部３０２は、ＲＬＣ部から入力した送信データに対してＭＡＣ−ｄ処理を施して有線データ送出部３０６へ出力する。
【００５１】
ハンドオーバ決定部３０３は、有線データ受信部３０１から入力した受信品質情報に基づいて、通信端末装置２００がハンドオーバするか否かを決定する。そして、ハンドオーバ決定部３０３は、ハンドオーバすることを決定した場合には、ハンドオーバすることを指示する情報であるハンドオーバ決定情報を有線データ送出先基地局決定部３０４及び重複送信フラグ付与部３０５へ出力する。
【００５２】
有線データ送出先基地局決定部３０４は、ハンドオーバ決定部３０３からハンドオーバ決定情報が入力した場合には、入力したハンドオーバ決定情報に基づいて、有線データ送出部３０６に対して、各通信端末装置２００に対してデータを送出する宛先となる基地局装置１００を通知する。具体的には、有線データ送出先基地局決定部３０４は、ハンドオーバ決定情報が入力する前は、有線データ送出部３０６に対して、現在通信中の基地局装置１００、即ちハンドオーバ元の基地局装置１００へデータを送信するように指示する。また、有線データ送出先基地局決定部３０４は、ハンドオーバ決定情報が入力してからハンドオーバが完了するまでは、有線データ送出部３０６に対して、現在通信中のハンドオーバ元の基地局装置１００及びハンドオーバ先となる基地局装置１００へデータを送信するように指示する。さらに、有線データ送出先基地局決定部３０４は、ハンドオーバ完了後には、有線データ送出部３０６に対して、ハンドオーバ先の基地局装置１００へデータを送信するように指示する。
【００５３】
重複送信フラグ付与部３０５は、ハンドオーバ決定部３０３からハンドオーバ決定情報が入力した場合には、入力したハンドオーバ決定情報に基づいて、重複送信フラグをデータ送出単位ごとに付与するために、重複及び非重複を示す重複送信フラグを有線データ送出部３０６へ出力する。具体的には、重複送信フラグ付与部３０５は、ハンオドーバ決定情報が入力する前には、非重複を示す情報の例えば「０」を重複送信フラグとして出力し、ハンドオーバ決定情報が入力してからハンドオーバが完了するまでは、重複を示す情報の例えば「１」を重複フラグとして出力する。そして、重複送信フラグ付与部３０５は、ハンドオーバ完了後には、非重複を示す情報の例えば「０」を重複送信フラグとして出力する。
【００５４】
有線データ送出部３０６は、ＭＡＣ−ｄ部３０２から入力した送信データに対して、重複送信フラグ付与部３０５から入力した重複送信フラグを付与して、有線データ送出先基地局決定部３０４から指示された基地局装置１００へ送信する。重複送信フラグ付与部３０５と有線データ送出部３０６とは、フラグ付与手段を構成する。
【００５５】
次に、基地局装置１００、通信端末装置２００及び制御局装置３００の動作について、図４を用いて説明する。図４は、基地局装置１００、通信端末装置２００及び制御局装置３００の動作を示すシーケンス図である。なお、図４において、基地局装置１００−１はハンドオーバ元の基地局装置であり、基地局装置１００−２はハンドオーバ先の基地局装置である。また、基地局装置１００−１及び基地局装置１００−２は、図１と同一構成である。
【００５６】
最初に、制御局装置３００において、通信端末装置２００がハンドオーバ前なので、重複送信フラグ付与部３０５は非重複を示す重複送信フラグ「０」を出力し、有線データ送出部３０６は、パケットデータに対して重複送信フラグ「０」を付与する。また、有線データ送出先基地局決定部３０４は、送信データの宛先として基地局装置１００−１を指示する。そして、制御局装置３００は、重複送信フラグ「０」を付与したパケットデータを基地局装置１００−１へ送信し、基地局装置１００−１は重複送信フラグ「０」を付与されたパケットデータを受信する（ステップＳＴ４０１）。
【００５７】
次に、基地局装置１００−１は、重複送信フラグ「０」を付与されたパケットデータを通信端末装置２００へ送信し、通信端末装置２００は重複送信フラグ「０」を付与されたパケットデータを受信する（ステップＳＴ４０２）。
【００５８】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定する。判定した結果、受信失敗の場合には、ＡＣＫ／ＮＡＣＫ信号生成部２０５はＮＡＣＫ情報を生成し、通信端末装置２００はＮＡＣＫ情報を基地局装置１００−１へ送信し、基地局装置１００−１はＮＡＣＫ情報を受信する（ステップＳＴ４０３）。この時、重複送信フラグ抽出部２０８にて抽出した重複送信フラグは「０」であるので、ハンドオーバ先基地局用ＴＳＮ生成部２１０は、ハンドオーバ先基地局装置用ＴＳＮは生成しない。なお、ＮＡＣＫ情報には、受信失敗したパケットデータを特定できる情報が含まれている。
【００５９】
次に、基地局装置１００−１は、送信優先度制御部１０６にて、ＮＡＣＫ情報のパケットデータを再送するスケジューリングを行う。そして、基地局装置１００−１は、格納部１０７に格納されているパケットデータを再送データとして送信し、通信端末装置２００は再送データとしてパケットデータを受信する（ステップＳＴ４０４）。この際、再送データとしてのパケットデータには初回送信時と同じ重複送信フラグ「０」が付与されている。その後、ＮＡＣＫ情報が生成されなくなるまでステップＳＴ４０３及びステップＳＴ４０４の処理が繰り返される。
【００６０】
また、所定タイミングにて、基地局装置１００−２はパイロットチャネルのパイロット信号を送信し、通信端末装置２００はパイロット信号を受信する（ステップＳＴ４０５）。同様に、所定タイミングにて、基地局装置１００−１はパイロットチャネルのパイロット信号を送信し、通信端末装置２００はパイロット信号を受信する（ステップＳＴ４０６）。
【００６１】
次に、通信端末装置２００は、受信品質測定部２１１にて受信品質を測定した後に受信品質情報生成部２１２にて受信品質情報を生成して、生成した受信品質情報を通信中の基地局装置１００−１へ送信し、基地局装置１００−１は受信品質情報を受信する（ステップＳＴ４０７）。
【００６２】
次に、基地局装置１００−１は受信品質情報を制御局装置３００へ送信し、制御局装置３００は受信品質情報を受信する（ステップＳＴ４０８）。
【００６３】
次に、制御局装置３００は、ハンドオーバ決定部３０３にて、受信品質情報に基づいて、通信端末装置２００が基地局装置１００−１から基地局装置１００−２へハンドオーバすることを決定する。
【００６４】
次に、制御局装置３００は、無線リンク確立要求を基地局装置１００−２へ送信し、基地局装置１００−２は無線リンク確立要求を受信する（ステップＳＴ４０９）。
【００６５】
次に、制御局装置３００は、基地局装置１００−２との物理チャネル設定要求を、基地局装置１００−１経由にて通信端末装置２００へ送信する（ステップＳＴ４１０）。
【００６６】
次に、制御局装置３００において、有線データ送出先基地局決定部３０４は、有線データ送出部３０６に対して、基地局装置１００−１及び基地局装置１００−２へ送信データを送信するように指示するとともに、重複送信フラグ付与部３０５は、重複送信フラグ「１」を出力する。そして、制御局装置３００は、有線データ送出部３０６にて、パケットデータに重複送信フラグ「１」を付与して、重複送信フラグ「１」を付与したパケットデータを基地局装置１００−１へ送信し、基地局装置１００−１は重複送信フラグ「１」が付与されたパケットデータを受信する（ステップＳＴ４１１）。さらに、制御局装置３００は、重複送信フラグ「１」を付与したパケットデータを基地局装置１００−２へ送信し、基地局装置１００−２は重複送信フラグ「１」が付与されたパケットデータを受信する（ステップＳＴ４１２）。
【００６７】
次に、基地局装置１００−１は、重複送信フラグ「１」が付与されたパケットデータを通信端末装置２００へ送信し、通信端末装置２００は重複送信フラグ「１」が付与されたパケットデータを受信する（ステップＳＴ４１３）。
【００６８】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定する。判定した結果、受信失敗の場合には、ＡＣＫ／ＮＡＣＫ信号生成部２０５にてＮＡＣＫ情報を生成する。また、ハンドオーバ先基地局用ＴＳＮ生成部２１０は、重複送信フラグ抽出部２０８にて抽出された重複送信フラグが「１」であるので、ハンドオーバ先基地局用ＴＳＮとして、ＴＳＮ抽出部２０９にて抽出したＴＳＮを「０」にする。そして、通信端末装置２００は、ＮＡＣＫ情報とハンドオーバ先基地局用ＴＳＮ「０」とを基地局装置１００−２へ送信し、基地局装置１００−２はＮＡＣＫ情報とハンドオーバ先基地局用ＴＳＮ「０」を受信する（ステップＳＴ４１４）。さらに、通信端末装置２００は、ＮＡＣＫ情報とハンドオーバ先基地局用ＴＳＮ「０」とを基地局装置１００−１へ送信し、基地局装置１００−１はＮＡＣＫ情報とハンドオーバ先基地局用ＴＳＮ「０」を受信する（ステップＳＴ４１５）。
【００６９】
次に、基地局装置１００−１は、ＮＡＣＫ情報を受信したので、再送制御部１０５にて再送を行うように指示することにより、格納部１０７に格納されているＮＡＣＫ情報に関係付けられているパケットデータと同一のパケットデータを再送データとして送信し、通信端末装置２００は再送データとしてパケットデータを受信する（ステップＳＴ４１６）。この時、パケットデータには初回送信時と同様に重複送信フラグ「１」が付与される。また、基地局装置１００−２は、ＮＡＣＫ情報とハンドオーバ先基地局用ＴＳＮ「０」を受信したので、ハンドオーバ先基地局用ＴＳＮ「０」のパケットデータを格納部１０７に格納した状態にしておく。
【００７０】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定する。判定した結果、受信成功の場合には、ＡＣＫ／ＮＡＣＫ信号生成部２０５にてＡＣＫ情報を生成する。そして、ハンドオーバ先基地局用ＴＳＮ生成部２１０は、重複送信フラグ抽出部２０８にて抽出された重複送信フラグが「１」であるので、ハンドオーバ先基地局用ＴＳＮを生成する。この際、ハンドオーバ先基地局用ＴＳＮ生成部２１０は、今回受信したのが再送データであるので、ハンドオーバ先基地局用ＴＳＮは「０」にする。
【００７１】
次に、通信端末装置２００は、ＡＣＫ情報とハンドオーバ先基地局用ＴＳＮ「０」とを基地局装置１００−２へ送信し、基地局装置１００−２はＡＣＫ情報とハンドオーバ先基地局用ＴＳＮ「０」を受信する（ステップＳＴ４１７）。さらに、通信端末装置２００は、ＡＣＫ情報とハンドオーバ先基地局用ＴＳＮ「０」とを基地局装置１００−１へ送信し、基地局装置１００−１はＡＣＫ情報とハンドオーバ先基地局用ＴＳＮ「０」を受信する（ステップＳＴ４１８）。基地局装置１００−２は、ＡＣＫ情報を受信したので、再送制御部１０５にて、格納部１０７に格納されているハンドオーバ先基地局用ＴＳＮ「０」のパケットデータを廃棄するように指示し、ハンオドーバ先基地局用ＴＳＮ「０」のパケットデータは格納部１０７から廃棄される。
【００７２】
次に、制御局装置３００において、有線データ送出先基地局決定部３０４は、有線データ送出部３０６に対して、基地局装置１００−１及び基地局装置１００−２へデータを送信するように指示するとともに、重複送信フラグ付与部３０５は、重複送信フラグ「１」を出力する。そして、制御局装置３００は、有線データ送出部３０６にて、次に送信するパケットデータに重複送信フラグ「１」を付与して、重複送信フラグ「１」を付与したパケットデータを基地局装置１００−１へ送信し、基地局装置１００−１は重複送信フラグ「１」が付与されたパケットデータを受信する（ステップＳＴ４１９）。さらに、制御局装置３００は、重複送信フラグ「１」を付与したパケットデータを基地局装置１００−２へ送信し、基地局装置１００−２は重複送信フラグ「１」が付与されたパケットデータを受信する（ステップＳＴ４２０）。
【００７３】
次に、基地局装置１００−１は、重複送信フラグ「１」が付与されたパケットデータを通信端末装置２００へ送信し、通信端末装置２００は重複送信フラグ「１」が付与されたパケットデータを受信する（ステップＳＴ４２１）。
【００７４】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定する。判定した結果、受信失敗の場合には、ＡＣＫ／ＮＡＣＫ信号生成部２０５にてＮＡＣＫ情報を生成する。また、ハンドオーバ先基地局用ＴＳＮ生成部２１０は、重複送信フラグ抽出部２０８にて抽出された重複送信フラグが「１」であるので、ハンドオーバ先基地局用ＴＳＮとして、ＴＳＮ抽出部２０９にて抽出したＴＳＮを「１」にする。そして、通信端末装置２００は、ＮＡＣＫ情報とハンドオーバ先基地局用ＴＳＮ「１」とを基地局装置１００−２へ送信し、基地局装置１００−２はＮＡＣＫ情報とハンドオーバ先基地局用ＴＳＮ「０」を受信する（ステップＳＴ４２２）。さらに、通信端末装置２００は、ＮＡＣＫ情報とハンドオーバ先基地局用ＴＳＮ「１」とを基地局装置１００−１へ送信し、基地局装置１００−１はＮＡＣＫ情報とハンドオーバ先基地局用ＴＳＮ「１」を受信する（ステップＳＴ４２３）。
【００７５】
次に、基地局装置１００−１は、ＮＡＣＫ情報を受信したので、再送制御部１０５にて再送を行うように指示する。また、基地局装置１００−２は、ＮＡＣＫ情報を受信したので、再送されるパケットデータと同一のパケットデータを格納部１０７に格納した状態にしておく。なお、ステップＳＴ４１９において、ステップＳＴ４１２〜ステップＳＴ４１８の処理が終わった後に制御局装置３００からパケットデータを送信しているが、これに限らず、ステップＳＴ４１１の直後にステップＳＴ４１９におけるパケットデータが基地局装置１００−１に送られていても構わない。
【００７６】
次に、ステップＳＴ４２１〜ステップＳＴ４２３の処理を繰り返している最中に、通信端末装置２００が基地局装置１００−１から基地局装置１００−２へハンドオーバする場合には、制御局装置３００は、無線リンク解放要求を基地局装置１００−１へ送信し、基地局装置１００−１は無線リンク解放要求を受信する（ステップＳＴ４２４）。
【００７７】
次に、制御局装置３００は、無線リンク確立要求を基地局装置１００−２へ送信し、基地局装置１００−２は無線リンク確立要求を受信する（ステップＳＴ４２５）。
【００７８】
次に、制御局装置３００は、通信端末装置２００に対して、物理チャネル設定要求を基地局装置１００−１経由にて送信し、通信端末装置２００は物理チャネル設定要求を受信する（ステップＳＴ４２６）。これにより、基地局装置１００−１はパケットデータの送信を停止し、基地局装置１００−２はパケットデータの送信を開始するとともに、通信端末装置２００は基地局装置１００−２と同期確立後にパケットデータの受信を開始する。これにより、通信端末装置２００の基地局装置１００−１から基地局装置１００−２へのハンドオーバが完了する。
【００７９】
次に、通信端末装置２００は、物理チャネルが設定されたことを通知するために、制御局装置３００に対して、物理チャネル設定通知を基地局装置１００−２経由にて送信する（ステップＳＴ４２７）。
【００８０】
図５（ａ）は、ステップＳＴ４２７までの処理が終了した場合の基地局装置１００−１の格納部１０７におけるキュー構造を示す図であり、図５（ｂ）は、ステップＳＴ４２７までの処理が終了した場合の基地局装置１００−２の格納部１０７に格納されているパケットデータと重複送信フラグと通常のＴＳＮとハンドオーバ先基地局用ＴＳＮとの関係を示す図である。
【００８１】
図５（ａ）において、基地局装置１００−１の格納部１０７は、ハンドオーバしない通信端末装置のキュー＃５０１〜＃５０３とハンドオーバする通信端末装置のキュー＃５０４から構成されている。キュー＃５０４は、ハンドオーバ決定前に到着したパケットデータ、即ち基地局装置１００−２へは送信されていないパケットデータが格納されている部分＃５０５とハンドオーバ決定後に到着したパケットデータ、即ち基地局装置１００−２へも送信されているパケットデータが格納されている部分＃５０６から構成されている。
【００８２】
また、図５（ｂ）において、パケットデータ＃５１０、＃５１１は、重複送信フラグ「０」が付与されているパケットデータであり、パケットデータ＃５１２〜＃５１６は、重複送信フラグ「１」が付与されているパケットデータである。図５（ｂ）のパケットデータ＃５１０及びパケットデータ＃５１１は、図５（ａ）の基地局装置１００−２へは送信されていないパケットデータが格納されている部分＃５０５に格納されており、図５（ｂ）のパケットデータ＃５１２〜＃５１６は、図５（ａ）の基地局装置１００−２へも送信されているパケットデータが格納されている部分＃５０６に格納されている。また、基地局装置１００−１から送信されるパケットデータ＃５１０〜＃５１６には、通常のＴＳＮ「２９」〜「３５」が設定されている。また、通信端末装置２００のハンドオーバ先基地局用ＴＳＮ生成部２１０にて生成されるハンドオーバ先基地局用ＴＳＮは、パケットデータ＃５１０、＃５１１については、重複送信フラグ「０」が付与されているので生成されない。一方、パケットデータ＃５１２〜＃５１６については、重複送信フラグ「１」が付与されているので、通常のＴＳＮ「３１」〜「３５」に代えて、ハンドオーバ先基地局用ＴＳＮ「０」〜「４」が順次生成される。これにより、ハンドオーバ先の基地局装置１０２−２は、ハンドオーバ前にハンドオーバ元の基地局装置１０２−１と同一の順番で同一のパケットデータを格納することができる。
【００８３】
図６は、ハンドオーバ先の基地局装置１００−２の格納部１０７のキュー管理動作を示す図である。
【００８４】
ハンドオーバすることが決定された場合において、最初は、格納部１０７は、ハンドオーバ先基地局用ＴＳＮ「０」から順番に番号が付されたハンドオーバ先基地局用ＴＳＮが付与されているパケットデータを順番に格納している（図６（ａ））。次に、基地局装置１００−２は、ハンドオーバ先基地局用ＴＳＮ「０」について、ＡＣＫ情報を受信した場合には、格納部１０７に格納されているパケットデータの内、ハンドオーバ先基地局用ＴＳＮ「０」が付与されているパケットデータを廃棄し、廃棄後にパケットデータを先頭方向（図６の下方向）に詰める（図６（ｂ））。次に、基地局装置１００−２は、ハンドオーバ先基地局用ＴＳＮ「１」について、ＮＡＣＫ情報を受信した場合には、ハンドオーバ先基地局用ＴＳＮ「１」が付与されているパケットデータは廃棄せずに格納部１０７にそのまま格納しておく（図６（ｃ））。次に、基地局装置１００−２は、ハンドオーバ先基地局用ＴＳＮ「２」について、ＡＣＫ情報を受信した場合には、格納部１０７に格納されているパケットデータの内、ハンドオーバ先基地局用ＴＳＮ「２」が付与されているパケットデータを廃棄し、廃棄後にパケットデータを先頭方向に詰める（図６（ｄ））。これにより、格納部１０７に格納されているパケットデータは、ハンドオーバ先基地局用ＴＳＮ「１」「３」「４」が付与されているパケットデータが先頭から順番に格納されている状態になる。
【００８５】
基地局装置１００−２の格納部１０７に格納されているパケットデータが図６（ｄ）の状態である時に、通信端末装置２００の基地局装置１００−１から基地局装置１００−２へのハンドオーバが完了した場合には、基地局装置１００−２は、ハンドオーバ先基地局用ＴＳＮ「１」が付与されているパケットデータを再送データとして通信端末装置２００へ送信し、通信端末装置２００はハンドオーバ先基地局用ＴＳＮ「１」が付与されているパケットデータを受信する（ステップＳＴ４２８）。
【００８６】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定し、判定結果に応じてＡＣＫ情報またはＮＡＣＫ情報を基地局装置１００−２へ送信する（ステップＳＴ４２９）。そして、受信成功が検出されるまでステップＳＴ４２８及びステップＳＴ４２９の処理を繰り返す。
【００８７】
次に、制御局装置３００において、有線データ送出先基地局決定部３０４は、有線データ送出部３０６に対して、送信データの宛先として基地局装置１００−２を通知するとともに、重複送信フラグ付与部３０５は、重複送信フラグ「０」を出力する。そして、制御局装置３００は、有線データ送出部３０６にて、次に送信するパケットデータに重複送信フラグ「０」を付与して、重複送信フラグ「０」を付与したパケットデータを基地局装置１００−２へ送信し、基地局装置１００−２は重複送信フラグ「０」が付与されたパケットデータを受信する（ステップＳＴ４３０）。
【００８８】
次に、基地局装置１００−２は、重複送信フラグ「０」が付与されたパケットデータを通信端末装置２００へ送信し、通信端末装置２００は重複送信フラグ「０」が付与されたパケットデータを受信する（ステップＳＴ４３１）。
【００８９】
次に、通信端末装置２００は、受信したパケットデータを誤り訂正復号部２０４にて誤り訂正復号して、ＡＣＫ／ＮＡＣＫ信号生成部２０５にて、受信成功または受信失敗を判定する。判定した結果、受信失敗の場合には、ＡＣＫ／ＮＡＣＫ信号生成部２０５ＮＡＣＫ情報を生成し、通信端末装置２００はＮＡＣＫ情報を基地局装置１００−２へ送信し、基地局装置１００−２はＮＡＣＫ情報を受信する（ステップＳＴ４３２）。この時、重複送信フラグ抽出部２０８にて抽出した重複送信フラグは「０」であるので、ハンドオーバ先基地局用ＴＳＮ生成部２１０は、ハンドオーバ先基地局装置用ＴＳＮは生成しない。
【００９０】
次に、基地局装置１００−２は、送信優先度制御部１０６にて、ＮＡＣＫ情報のパケットデータを再送するスケジューリングを行う。そして、基地局装置１００−２は、格納部１０７に格納されているパケットデータを再送データとして送信し、通信端末装置２００は再送データとしてパケットデータを受信する（ステップＳＴ４３３）。この際、再送データとしてのパケットデータには初回送信時と同じ重複送信フラグ「０」が付与されている。その後、ＮＡＣＫ情報が生成されなくなるまでステップＳＴ４３１〜ステップＳＴ４３３の処理が繰り返される。
【００９１】
このように、本実施の形態１によれば、通信端末装置は、ハンドオーバ先基地局用ＴＳＮを付与してハンドオーバ先の基地局装置に通知するので、ハンドオーバ先の基地局装置において、ハンドオーバ前に、ハンドオーバ元基地局装置と同期したキュー管理を行うことができる。また、本実施の形態１によれば、ハンドオーバ前に、ハンドオーバ元基地局装置とハンドオーバ先基地局装置とで同期したキュー管理を行うので、ハンドオーバ時のキューの引き継ぎを円滑に行うことができるとともに、データ欠落のないシームレスなハンドオーバを行うことができる。
【００９２】
（実施の形態２）
図７は、本発明の実施の形態２に係る通信端末装置７００の構成を示すブロック図である。
【００９３】
本実施の形態２に係る通信端末装置７００は、図２に示す実施の形態１に係る通信端末装置２００において、図７に示すように、キューＩＤ抽出部７０１を追加する。なお、図７においては、図２と同一構成である部分には同一の符号を付してその説明は省略する。また、制御局装置の構成は図１と同一構成であり、基地局装置の構成は図２と同一構成であるので、その説明は省略する。
【００９４】
誤り訂正復号部２０４は、復調部２０３から入力した受信信号を誤り訂正復号してＡＣＫ／ＮＡＣＫ信号生成部２０５、重複送信フラグ抽出部２０８、ＴＳＮ抽出部２０９及びキューＩＤ抽出部７０１へ出力する。
【００９５】
キューＩＤ抽出部７０１は、誤り訂正復号部２０４から入力した誤り訂正復号後のパケットデータに含まれているキューＩＤ（識別子）を抽出して誤り訂正符号化部２１３へ出力する。なお、キューＩＤは、基地局装置の送信優先度制御部１０６が格納部１０７に格納されているパケットデータに対して付与するものである。
【００９６】
誤り訂正符号化部２１３は、ＡＣＫ／ＮＡＣＫ信号生成部２０５から入力したＡＣＫ／ＮＡＣＫ情報、重複送信フラグ抽出部２０８から入力した重複送信フラグ、ハンドオーバ先基地局用ＴＳＮ生成部２１０から入力したハンドオーバ先基地局用ＴＳＮ、キューＩＤ抽出部７０１から入力したキューＩＤ及び送信データを含むパケットデータを誤り訂正符号化して変調部２１４へ出力する。また、誤り訂正符号化部２１３は、受信品質情報生成部２１２から受信品質情報が入力した場合には、入力した受信品質情報を誤り訂正符号化して変調部２１４へ出力する。
【００９７】
次に、基地局装置の格納部１０７におけるキュー構造について、図８（ａ）〜図８（ｃ）を用いて説明する。図８（ａ）は、キュー構造を示す図であり、図８（ｂ）及び図８（ｃ）は、ハンドオーバ先の基地局装置におけるパケットデータと重複送信フラグと通常のＴＳＮとキューＩＤとハンドオーバ先基地局用ＴＳＮとの関係を示す図である。
【００９８】
図８（ａ）において、基地局装置１００−１の格納部１０７は、ハンドオーバしない通信端末装置のキュー＃８０１、＃８０２とハンドオーバする通信端末装置のキュー＃８０３、＃８０４から構成されている。各通信端末装置に対しては、ＱｏＳ（Quality of Service：通信品質サービス）毎に２つのキューが管理されており、キュー＃８０３とキュー＃８０４は同一ユーザの異なるＱｏＳについてのキューである。また、キュー＃８０３に格納されるパケットデータにはキューＩＤ「０」が付与されており、キュー＃８０４に格納されるパケットデータにはキューＩＤ「１」が付与されている。キュー＃８０３は、ハンドオーバ決定前に到着したパケットデータ、即ち基地局装置１００−２へは送信されていないパケットデータが格納されている部分＃８０５とハンドオーバ決定後に到着したパケットデータ、即ち基地局装置１００−２へも送信されているパケットデータが格納されている部分＃８０６から構成されている。また、キュー＃８０４は、ハンドオーバ決定前に到着したパケットデータ、即ち基地局装置１００−２へは送信されていないパケットデータが格納されている部分＃８０７とハンドオーバ決定後に到着したパケットデータ、即ち基地局装置１００−２へも送信されているパケットデータが格納されている部分＃８０８から構成されている。
【００９９】
図８（ｂ）において、パケットデータ＃８１０、＃８１１は、重複送信フラグ「０」が付与されているパケットデータであり、パケットデータ＃８１２〜＃８１６は、重複送信フラグ「１」が付与されているパケットデータである。図８（ｂ）のパケットデータ＃８１０及びパケットデータ＃８１１は、図８（ａ）の基地局装置１００−２へは送信されていないパケットデータが格納されている部分＃８０５に格納されており、図８（ｂ）のパケットデータ＃８１２〜＃８１６は、図８（ａ）の基地局装置１００−２へも送信されているパケットデータが格納されている部分＃８０６に格納されている。また、基地局装置１００−１から送信されるパケットデータ＃８１０〜＃８１６には、通常のＴＳＮ「２９」〜「３５」が設定されている。また、通信端末装置２００のハンドオーバ先基地局用ＴＳＮ生成部２１０にて生成されるハンドオーバ先基地局用ＴＳＮは、パケットデータ＃８１０、＃８１１については、重複送信フラグ「０」が付与されているので生成されない。一方、パケットデータ＃８１２〜＃８１６については、重複送信フラグ「１」が付与されているので、通常のＴＳＮ「３１」〜「３５」に代えて、ハンドオーバ先基地局用ＴＳＮ「０」〜「４」が順次生成される。さらに、パケットデータ＃８１０〜＃８１６には、キューＩＤ「０」が付与されている。
【０１００】
図８（ｃ）は、キュー＃８０４におけるパケットデータと重複送信フラグと通常のＴＳＮとキューＩＤとハンドオーバ先基地局用ＴＳＮとの関係を示す図である。図８（ｃ）において、パケットデータ＃８２０、＃８２１は、重複送信フラグ「０」が付与されているパケットデータであり、パケットデータ＃８２２〜＃８２６は、重複送信フラグ「１」が付与されているパケットデータである。また、図８（ｃ）のパケットデータ＃８２１及びパケットデータ＃８２２は、図８（ａ）の基地局装置１００−２へは送信されていないパケットデータが格納されている部分＃８０７に格納されており、図８（ｃ）のパケットデータ＃８２２〜＃８２６は、図８（ａ）の基地局装置１００−２へも送信されているパケットデータが格納されている部分＃８０８に格納されている。
【０１０１】
また、基地局装置１００−１から送信されるパケットデータ＃８２０〜＃８２６には、通常のＴＳＮ「１２」〜「１８」が設定されている。また、通信端末装置２００のハンドオーバ先基地局用ＴＳＮ生成部２１０にて生成されるハンドオーバ先基地局用ＴＳＮは、パケットデータ＃８２０、＃８２１については、重複送信フラグ「０」が付与されているので生成されない。一方、パケットデータ＃８２２〜＃８２６については、重複送信フラグ「１」が付与されているので、通常のＴＳＮ「１４」〜「１８」に代えて、ハンドオーバ先基地局用ＴＳＮ「０」〜「４」が順次生成される。さらに、パケットデータ＃８２０〜＃８２６には、キューＩＤ「１」が付与されている。これらより、通信端末装置７００は、パケットデータ＃８１０〜＃８１６を受信した場合には、キューＩＤ抽出部７０１にて抽出したキューＩＤ「０」を、ハンドオーバ先の基地局装置へ転送し、パケットデータ＃８２１〜＃８２６を受信した場合には、キューＩＤ抽出部７０１にて抽出したキューＩＤ「１」を、ハンドオーバ先の基地局装置へ転送する。なお、基地局装置、通信端末装置及び制御局装置の動作については、通信端末装置が、ハンドオーバ元の基地局装置から送信されたキューＩＤをハンドオーバ先の基地局装置へ転送する以外は、図４と同一動作であるので、その説明は省略する。
【０１０２】
このように、本実施の形態２によれば、上記実施の形態１の効果に加えて、ＡＣＫ情報またはＮＡＣＫ情報とハンドオーバ先基地局用ＴＳＮとキューＩＤとを通信端末装置からハンドオーバ先の基地局装置へ送信するので、ＱｏＳ毎にキュー管理する場合においても、ハンドオーバ先の基地局装置において、ハンドオーバ前にハンドオーバ元基地局装置と同等のキュー管理を行うことができる。
【産業上の利用可能性】
【０１０３】
本発明にかかる基地局装置、通信端末装置、制御局装置及びキュー管理方法は、誤りが生じたパケットデータを再送するのに好適である。
【図面の簡単な説明】
【０１０４】
【図１】本発明の実施の形態１に係る基地局装置の構成を示すブロック図
【図２】本発明の実施の形態１に係る通信端末装置の構成を示すブロック図
【図３】本発明の実施の形態１に係る制御局装置の構成を示すブロック図
【図４】本発明の実施の形態１に係る基地局装置、通信端末装置及び制御局装置の動作を示すシーケンス図
【図５】本発明の実施の形態１に係るキュー構造を示す図
【図６】本発明の実施の形態１に係るキュー構造を示す図
【図７】本発明の実施の形態２に係る通信端末装置の構成を示すブロック図
【図８】本発明の実施の形態２に係るキュー構造を示す図
【図９】通信システムの構成を示す図
【図１０】従来の基地局装置のＭＡＣ−ｈｓ部の構成を示す図
【図１１】セル構成を示す図
【符号の説明】
【０１０５】
１００  基地局装置
１０２  ＲＦ受信部
１０３  復調部
１０４  誤り訂正復号部
１０５  再送制御部
１０６  送信優先度制御部
１０７  格納部
１０８  ＴＦＲＩ選択部
１０９  誤り訂正符号化部
１１０、１１２  変調部
１１１、１１３  ＲＦ送信部
【図１】
2007006230.tif 000003
【図２】
2007006230.tif 000004
【図３】
2007006230.tif 000005
【図４】
2007006230.tif 000006
【図５】
2007006230.tif 000007
【図６】
2007006230.tif 000008
【図７】
2007006230.tif 000009
【図８】
2007006230.tif 000010
【図９】
2007006230.tif 000011
【図１０】
2007006230.tif 000012
【図１１】
2007006230.tif 000013